(57)【特許請求の範囲】
【請求項１】
電槽の所定の外径寸法を維持するために外側へ膨出した隅角壁部の内側に空洞部を形成されたセル室内に収容した極板群の両端板に対向する内壁面に該端板の幅方向に配設した多数本の垂直リブにより該両端板を圧迫して固定収容して成る鉛蓄電池において、該極板群の一方の端板と対向する膨出隅角部の膨出壁部の少なくとも下部を絞り込んで形成された絞り壁の平坦な内壁面で該端板の少なくとも下部を圧迫するようにしたことを特徴とする鉛蓄電池。
【請求項２】
該絞り壁の平坦な内壁面の高さは、その電槽の底面から極板群の端板の高さの少なくとも３分の１以上端板の高さと少なくとも等しい高さまでの範囲であり、且つ外面の垂直リブの下部は、絞込み奥行きに対応する分該絞り壁の外面と一体の広幅に成形したことを特徴とする請求項１に記載の鉛蓄電池。
【発明の詳細な説明】
【０００１】
【発明の属する技術分野】
本発明は、自動車用などの鉛蓄電池に関する。
【０００２】
【従来の技術】
従来の自動車用鉛蓄電池として、例えば、大型ディーゼル用の鉛蓄電池は、図７及び図８に示すようなものが知られている。説明の便宜上、各セル室内の極板群を直列に連結するストラップ、極柱などの連結部材は省略している。
即ち、その鉛蓄電池Ａの電槽Ｂの外形寸法はＪＩＳ規格による規定の外形寸法となるように、四隅角部ｂ，ｂ，ｂ，ｂを夫々膨出隅角部とするべく互いに直角で交わる幅方向の側壁ｂ１と長さ方向の側部ｂ２が互いに直角に交わる個所を外方へ膨出させる膨出壁ｂ１１，ｂ２１とすると共にその外面に一定間隔を存して補強を兼ねる垂直リブＲ１，Ｒ１，Ｒ１，…を配設して成るものである。かくして、その膨出した四隅の隅角部ｂ，ｂ，ｂ，ｂの内側には、空洞部Ｈ，Ｈ，Ｈ，Ｈが形成されたものとなっている。
かゝる電槽Ｂの各セル室Ｃ，Ｃに、図示の例では、６つのセル室Ｃ，Ｃ，…内に極板群Ｇ，Ｇ，…を収容し、その各極板群Ｇは、その両端の負極板ｎ，ｎの対向するセル室Ｃの対向壁Ｄ，Ｄ，…の内面に、予め一体成形により突設し、その極板群Ｇの幅方向に間隔を存して配設された多数本の垂直リブＲ２，Ｒ２，…により圧迫して極板群Ｇを固定収容して鉛蓄電池を構成している。この場合、該隅角部ｂの対向壁Ｄとなる膨出壁ｂ２１の内面に突設した垂直リブＲ２′は、その空洞部Ｈを横断して極板群Ｇの端板ｎを圧迫するようにしている。図面でｓはセパレータ、ｐは正極板、ｃ１はセル間接続用貫通孔を示す。
【０００３】
【発明が解決しようとする課題】
しかし乍ら、上記の鉛蓄電池Ａの電槽Ｂの四隅の膨出隅角部ｂ，ｂ，ｂ，ｂの夫々の内側に形成された空洞部Ｈ，Ｈ，Ｈ，Ｈには、電解液注入により蓄電池の機能にあまり関与しない余剰電解液が存在することゝなり、それだけ電解液が無駄に消費されることゝなるばかりでなく、蓄電池の軽量化の障害にもなっている。
また、その対向壁Ｄ，Ｄに夫々設けた垂直リブＲ２，Ｒ２，…及びＲ２′，Ｒ２′，…は、その成形において、その幅を厚くすると金型からの抜けが悪くなるので、比較的狭幅に限定される。而も、その狭幅のこれら垂直リブＲ２のうち、特に該空洞部Ｈを横断し、端板ｎの１側面を圧迫する複数本の垂直リブＲ２′，Ｒ２′，…は、端板ｎの幅方向の中間部を維持する垂直リブＲ２，Ｒ２，…と同じツラ位置とするべく比較的長く突出している。かゝる構成の鉛蓄電池は、かゝる空洞部Ｈ内に突出する垂直リブＲ２′により圧迫される端板ｎの特に下部に対応する個所が、蓄電池の使用中、長期に亘る車両の振動や蓄電池寿命末期の極板自体の膨張などによる影響もあり、理由は明らかでないが、図９に示すように、内側に弯曲し、その端板ｎの下部の曲がった側縁でセパレータｓを突き破り、正極板ｐと短絡することがあり問題となっていた。種々検討したところ、端板ｎの弯曲は、特に、垂直リブＲ２′の下端から端板ｎの高さの１／３位までの高さまでの範囲で発生することが判明した。
上記の不都合を解消するため、空洞部Ｈ内に突出する垂直リブＲ２′を廃し、その代わりに、その垂直リブの突出分を隅角部ｂの一方の壁部ｂ１を肉厚とすることが考えられるが、電槽の成形樹脂の重量が増したり、製造コストアップとなるなどの不都合を生じ好ましくない。
そこで、端板の圧迫による上記の弯曲を防止すると同時に、成形樹脂による重量の増大及びコストアップを生ずることなく、而も空洞部の容積を減少させて、それだけ無駄な余剰電解液を少なくして経済的で且つ蓄電池の重量を軽減し、上記の全ての不都合を解消した鉛蓄電池の開発が望まれる。
【０００４】
【課題を解決するための手段】
本発明は上記の不都合を解消した鉛蓄電池を提供するもので、電槽の所定の外径寸法を維持するために外側へ膨出した隅角壁部の内側に空洞部を形成されたセル室内に収容した極板群の両端板に対向する内壁面に該端板の幅方向に配設した多数本の垂直リブにより該両端板を圧迫して固定収容して成る鉛蓄電池において、該極板群の一方の端板と対向する膨出隅角部の膨出壁部の少なくとも下部を絞り込んで形成された絞り壁の平坦な内壁面で該端板の少なくとも下部を圧迫するようにしたことを特徴とする。
この場合、本発明の好ましい鉛蓄電池は、該絞り壁の平坦な内壁面の高さは、その電槽の底面から極板群の端板の高さの少なくとも３分の１以上端板の高さと少なくとも等しい高さまでの範囲とすることが好ましい。
【０００５】
【発明の実施の形態】
本発明の鉛蓄電池の実施の１例を添付図面に基づいて説明する。
図１〜図４において、Ｌは本発明の鉛蓄電池を示し、電池の構成は、従来の図７に示す鉛蓄電池と変わりはない。図７示と同様に、便宜上、セル室Ｃ内の極板群Ｇの直列接続する連結部材は省略している。１はその合成樹脂成形電槽を示す。該電槽１は、比較的軽量で且つ規定の外形寸法を維持するべくその長さ方向の側壁１ａと幅方向の側壁１ｂが夫々互いに交わる４つの隅角部２，２，２，２の夫々の個所を、図示のように、その両方の側壁１ａ及び１ｂの夫々の隅角壁部１ａ１，１ａ１及び１ｂ１，１ｂ１を外方へ膨出させた膨出壁部１ａ１，１ｂ１とすると共にその機械的補強を兼ねるべく、その外面に複数本の垂直リブ３を突設した。かくして、各膨出隅角部２の夫々の膨出した膨出壁部１ａ１，１ｂ１の内側に空洞部４，４が生成したものに構成される。
また、該電槽１は、その内部を縦横に交叉する仕切壁１ｃ，１ｃ，…により６個のセル室５に区劃形成され、その各セル室５に極板群６を圧迫固定して収容するように、例えば、所定枚数の負極板ｎと負極板ｎの数より一枚少ない枚数の正極板ｐとをセパレータｓを介し交互に積層して成る極板群６のその両端板となる負極板ｎ及びｎを圧迫するべく、該端板ｎ，ｎに夫々対向する図示の例では、長さ方向の側壁１ａと仕切壁１ｃの内壁面にその両端板ｎ，ｎの幅方向に適当な間隔を存して複数本の垂直リブ７，７，…を配設し、これらの対向する垂直リブ７，７，…により極板群６を圧迫して固定収容したものである。
この場合、４つの隅角部２，２，２，２の内側に位置するセル室５，５，…に収容した各極板群６を圧迫する垂直リブ７，７，…のうち、該側壁１ａの該膨出隅角部２の該膨出壁部１ａ１の内壁面から突出する複数本の垂直リブ７′，７′，７′は、その内側の該空洞部４を横切り、その先端が該側壁１ａの中間壁部から突出した３本の垂直リブ７，７，７の先端と同つら位置になり、端板ｎを圧迫するように奥行きの長いより広幅の垂直リブに形成されている。
尚、図示の例では、電槽１の底面には、その各セル室５において適当な間隔で鞍１ｄを配設したが、必ずしも必要でない。
本発明の鉛蓄電池Ｌの電槽１の以上の構成は、上記従来の鉛蓄電池Ａの電槽Ｂのそれと変わりがないが、上記従来の鉛蓄電池の不都合を解消するべくその電槽１を次のように構成した点を特徴とする。
即ち、その特徴構成は、夫々の４つの隅角部２，２，２，２の夫々に同じように設けられるので、その１つの隅角部２における特徴構成につき以下説明する。
即ち、図示するように、極板群６の一方の端板ｎ，ｎと対向する該側壁１ａの該膨出壁部１ａ１の少なくとも下部を、即ちその電槽１の底面から端板ｎの高さの少なくともほゞ３分の１位の高さまで、その内側の空洞部４，４を埋めるように内側へアールを付けて絞り込んだ絞り込み壁部９を介して平坦な内壁面を有する絞り壁１０を形成し、その絞り壁１０の内壁面１０ａで該極板群６の一方の端板ｎの下部を圧迫するように構成したものである。具体的な例で示せば、絞り壁１０の内壁面１０ａの電槽１の底面からの高さｈを７０ｍｍ、その幅Ｗを４０ｍｍ、絞り込み奥行きｄを３．６ｍｍとする。尚、図示の例では、電槽の長さ方向の外径寸法５００ｍｍ、幅方向の外径寸法約１７８ｍｍ、高さ寸法２０２ｍｍ（鞍１ｄの高さ２０ｍｍを含む）であり、鞍１ｄ上の極板群６の端板ｎとして高さ１２０ｍｍのものを使用した。これに伴い、外面の垂直リブ３の下部は、絞り込み奥行きｄに対応する分３ａ、前記の絞り壁１０の外面と一体の広幅３′に成形され、規定の外形寸法を維持すると共に、該絞り壁１０の機械的強度を増大せしめた。
【０００６】
該絞り壁１０の高さは、極板群６の端板ｎの高さと等しいものでも、或いは図５に示すように、それより高い絞り壁１０としてもよく、更には、絞り壁１０は、電槽１の高さに略等しい高さまでとし、垂直リブ７′をなくしてもよい。而して、外面の垂直リブ３は、その絞り壁１０に対応する分奥行きの深い広幅３′として、電槽の外径寸法を維持するようにする。
【０００７】
このように、その絞り壁１０により空洞部４が埋まるので、その分従来空洞部４内を占めていた電解液を注入する無駄を省く節約ができ、経済的であり、また、それだけ電池重量が軽量となる。
【０００８】
尚また、電槽１の膨出隅角部２は、上記の図示の実施例では、長さ方向の側壁１ａと幅方向の１ｂの両者を膨出壁部１ａ１，１ｂ１とした場合を示したが、内壁面に圧迫用の垂直リブを設けないいずれか一方の側壁を、図示の例では幅方向の側壁１ｂの隅角壁部１ｂ１は膨出壁部としない平坦な側壁としてその内側の空洞部をなくすようにすると共に、その外面に規定の外形寸法を維持するため、その分奥行きの深い広幅の垂直リブ３′，３′，３′を設けるようにしてもよい。これにより更に、電解液量を少なくし得られ、一層軽量な鉛蓄電池を提供することができる。
【０００９】
本発明の上記実施例では、極板群の両端の端板が負極板から成る極板群の圧迫に適用したが、正，負極板と正極板を同じ枚数交互にセパレータを介し積層し、その一方の端板は負極板ｎから成り、他方の端板は正極板ｐから成る極板群の圧迫にも適用できることは言うまでもない。
【００１０】
【発明の効果】
このように本願の請求項１に係る発明によるときは、鉛蓄電池の電槽の規定の外形寸法を維持する膨出隅角部の膨出壁部の下部に、その内側の空洞部を埋める絞り壁を設けると共に、その平坦な内壁面で対向する極板群の端板を圧迫するようにしたので、従来の端板が湾曲してセパレータを突き破り、短絡することが防止できると共に、その空洞部が絞り壁により埋まるので、その分無駄な電解液の浪費をなくし、安価で且つ軽量な鉛蓄電池をもたらす。
本願の請求項２に係る発明によるときは、該絞り壁の平坦な内壁面の高さは、その電槽の底面から極板群の端板の高さの少なくとも３分の１以上端板の高さと少なくとも等しい高さまでの範囲であり、且つ外面の垂直リブの下部は、絞込み奥行きに対応する分該絞り壁の外面と一体の広幅に成形したので、電槽は、規定の外形寸法を維持すると共に、該絞り壁の機械的強度を増大できる効果をもたらす。
【図面の簡単な説明】
【図１】  本発明の鉛蓄電池の１例の斜視図。
【図２】  図１のＩＩ−ＩＩ線横断面図。
【図３】  図１示の鉛蓄電池の使用下における隅角部の下部の横断面図。
【図４】  図３のＩＶ−ＩＶ線縦裁断面図。
【図５】  本発明の他の実施例の図４に類似の図。
【図６】  本発明の更に他の実施例の図３に類似の鉛蓄電池の隅角部の下部の横断面図。
【図７】  従来の鉛蓄電池の電槽の斜視図。
【図８】  図７のＡ−Ａ線横断面図。
【図９】  図７示の鉛蓄電池の使用下における隅角部の下部の横断面図。
【符号の説明】
１  電槽
１ａ１  隅角壁部、膨出壁部
１ｂ１  隅角壁部、膨出壁部
２  隅角部
３  外面垂直リブ
４  空洞部
５  セル室
６  極板群
７  内面垂直リブ
７′  空洞部内の内面垂直リブ
９  絞り込み壁部
１０  絞り壁
１０ａ  絞り壁の平坦な内壁面
【図１】
0003986755.tif 000002
【図２】
0003986755.tif 000003
【図３】
0003986755.tif 000004
【図４】
0003986755.tif 000005
【図５】
0003986755.tif 000006
【図６】
0003986755.tif 000007
【図７】
0003986755.tif 000008
【図８】
0003986755.tif 000009
【図９】
0003986755.tif 000010